(57)【要約】【課題】ロータディスクのスタックの製造を容易にする。【解決手段】第１のロータディスク１ａと、第２のロータディスク１ｂとを備えるロータにおいて、第１のロータディスク１ａは、少なくとも一方の側において第１の断続的なねじを提供しており、第２のロータディスク１ｂは、少なくとも一方の側において第２の断続的なねじを提供しており、第２のロータディスク１ｂの前記第２の断続的なねじは、前記第１のロータディスク１ａの前記第１の断続的なねじに結合されている。【選択図】図１
2014202213.tif 000002
【特許請求の範囲】
【請求項１】
第１のロータディスク（１ａ）と、
第２のロータディスク（１ｂ）と、を備えるロータにおいて、
前記第１のロータディスク（１ａ）は、少なくとも一方の側（４）において第１の断続的なねじを提供しており、
前記第２のロータディスク（１ｂ）は、少なくとも一方の側（５）において第２の断続的なねじを提供しており、
前記第２のロータディスク（１ｂ）の前記第２の断続的なねじは、前記第１のロータディスク（１ａ）の前記第１の断続的なねじに結合されていることを特徴とする、ロータ。
【請求項２】
各ロータディスク（１ａ，１ｂ）は、前記ロータの回転軸線に関して実質的に対称的である、請求項１記載のロータ。
【請求項３】
前記ロータディスク（１ａ，１ｂ）は、互いに直接に結合されるのに適している、請求項１又は２記載のロータ。
【請求項４】
前記ロータディスク（１ａ，１ｂ）のうちの少なくとも一方は、両方の側（４，５）において２つの断続的なねじを提供している、請求項１から３までのいずれか１項記載のロータ。
【請求項５】
前記第１のロータディスク（１ａ）は、側壁を備えた突出したリム（１０）を備えた第１の断続的なねじを提供しており、前記突出したリム（１０）の側壁に沿ってウェッジ（１１ａ，１１ｂ，１１ｃ，１１ｄ，１１ｅ，１１ｆ，１１ｇ，１１ｈ）の第１のセットが配置されており、
前記第２のロータディスク（１ｂ）は、側壁を備えた溝（１２）を有する第２の断続的なねじを提供しており、前記溝（１２）の側壁に沿ってウェッジ（１３ａ，１３ｂ，１３ｃ，１３ｄ，１３ｅ，１３ｆ，１３ｇ，１３ｈ）の第２のセットが配置されている、請求項１から４までのいずれか１項記載のロータ。
【請求項６】
前記ウェッジ（１１ａ，１１ｂ，１１ｃ，１１ｄ，１１ｅ，１１ｆ，１１ｇ，１１ｈ）の第１のセットは、前記突出したリム（１０）の前記側壁に沿って均等に配置されており、前記ウェッジ（１３ａ，１３ｂ，１３ｃ，１３ｄ，１３ｅ，１３ｆ，１３ｇ，１３ｈ）の第２のセットは、前記溝（１２）の前記側壁に沿って均等に配置されている、請求項５記載のロータ。
【請求項７】
前記ウェッジ（１１ａ，１１ｂ，１１ｃ，１１ｄ，１１ｅ，１１ｆ，１１ｇ，１１ｈ）の第１のセットは、８つのウェッジを含み、前記ウェッジ（１３ａ，１３ｂ，１３ｃ，１３ｄ，１３ｅ，１３ｆ，１３ｇ，１３ｈ）の第２のセットは、８つのウェッジを含む、請求項５又は６記載のロータ。
【請求項８】
前記第１のロータディスク（１ａ）は、複数のスロット（６ａ，６ｂ，６ｃ，６ｄ，６ｅ，６ｆ）を有する断続的なねじを提供しており、前記第２のロータディスク（１ｂ）は、複数のセグメント（９ａ，９ｂ，９ｃ，９ｄ，９ｅ，９ｆ）を有する断続的なねじを提供している、請求項１から４までのいずれか１項記載のロータ。
【請求項９】
各スロット（６ａ，６ｂ，６ｃ，６ｄ，６ｅ，６ｆ）は、締付面（７）を有する、請求項８記載のロータ。
【請求項１０】
前記第１のロータディスク（１ａ）のスロット（６ａ，６ｂ，６ｃ，６ｄ，６ｅ，６ｆ）は、前記第１のロータディスク（１ａ）の内周に沿って均等に配置されており、前記第２のロータディスク（１ｂ）のセグメント（９ａ，９ｂ，９ｃ，９ｄ，９ｅ，９ｆ）は、前記第２のロータディスク（１ｂ）の内周に沿って均等に配置されている、請求項８又は９記載のロータ。
【請求項１１】
前記第１のロータディスク（１ａ）は、６つのスロット（６ａ，６ｂ，６ｃ，６ｄ，６ｅ，６ｆ）を提供しており、前記第２のロータディスク（１ｂ）は、６つのセグメント（９ａ，９ｂ，９ｃ，９ｄ，９ｅ，９ｆ）を提供している、請求項８から１０までのいずれか１項記載のロータ。
【請求項１２】
請求項１から１１までのいずれか１項記載のロータを備えるガスタービン機関。
【請求項１３】
請求項１から１１までのいずれか１項記載のロータを備えるタービン発電機。
【請求項１４】
第１のロータディスク（１ａ）と第２のロータディスク（１ｂ）とを直接に接合する方法であって、
前記第１のロータディスク（１ａ）は、少なくとも一方の側（４）において、断続的なねじを提供しており、
前記第２のロータディスク（１ｂ）は、少なくとも一方の側（５）において、断続的なねじを提供しており、
前記第２のロータディスク（１ｂ）の前記断続的なねじは、前記第１のロータディスク（１ａ）の前記断続的なねじと相補的である、方法において、該方法は、
前記第１のロータディスク（１ａ）の前記第１の断続的なねじを前記第２のロータディスク（１ｂ）の前記第２の断続的なねじと係合させることによって前記第１のロータディスク（１ａ）を前記第２のロータディスク（１ｂ）と結合させ、
前記第１のロータディスク（１ａ）を前記第２のロータディスク（１ｂ）に対して一回転の一部だけ回転させることを含むことを特徴とする、第１のロータディスクと第２のロータディスクとを直接に接合する方法。
【請求項１５】
一方のロータディスク（１ａ，１ｂ）の前記断続的なねじのサイズが、２つのロータディスク（１ａ，１ｂ）の前記断続的なねじを係合させる前に加熱することによって増大される、請求項１４記載の方法。
【発明の詳細な説明】
【技術分野】
【０００１】
本発明は、ロータ、例えばガスタービン機関用のロータに関する。特に、本発明は、ロータのロータディスクの間の機械的な連結にも関する。
【背景技術】
【０００２】
従来のガスタービン機関は、通常、３つのセクション、すなわち圧縮機、燃焼器及びタービンを含む。燃焼器に進入する前に、作動媒体、通常は空気の圧力は、圧縮セクションによってほぼ増大される。次いで、圧縮された空気は、圧縮セクションから出て、燃焼器に進入し、燃焼器において燃料と混合され、燃焼プロセスが生じる。燃焼後、高温空気は燃焼器から出て、タービンへ供給される。
【０００３】
ガスタービン機関はロータを有する。ロータは、積み上げ作業においてディスクから組み立てることができ、この積み上げ作業において、圧縮機ディスク及びタービンディスクなどの構成部材は、回転軸線に沿って同軸に結合される。ロータのディスクを結合する様々な方法が提供されている。米国特許第３９７６３９９号明細書は、中央コネクティングロッドに積層されたロータディスクを開示している。米国特許第３９７６３９９号明細書のロータディスクは、締付リングによって締め付けられた半シェルによって所定の位置に保持されている。米国特許第３９７６３９９号明細書は、中央コネクティングロッドにロータディスクを熱収縮させることを開示している。米国特許第７３８４０７５号明細書は、ロータの構成部材間のねじ込み継手を開示している。ねじ込み継手は、付加的に、回転防止ロッキング機構によって固定される。米国特許第５５３７８１４号明細書及び米国特許第８１００６６６号明細書は、タービンディスクを他のロータ構成部材と軸方向で締め付けるための、締付ナット及びタイシャフトを開示している。米国特許第４３１０２８６号明細書は、ロータのディスクを固定するためのボルト継手を開示している。
【０００４】
ガスタービン機関のロータディスクの間の機械的結合は、多くの競合する技術的要求を満たさなければならない：ガスタービン機関のロータはたわむことがあり、それにより、回転軸線とロータの質量中心とがもはや一致しなくなる。したがって、ガスタービン機関のロータディスクの間の結合は、ねじりに対して堅くされる。ガスタービン機関のロータディスクの間の結合は、１５００又は１５０００ｒｐｍの作動速度をはるかに超えるロータの臨界速度のために設計される。
【０００５】
ガスタービン機関内の圧力は過酷となり得る。ガスタービン機関のロータは、対応する応力に耐えるよう設計される。
【０００６】
ロータディスクの新規のスタックは、その製造に伴う労力を最小限にする。特に、ロータディスクのスタックの製造は、特別な工具の使用を最小限にする。
【０００７】
ねじり剛性の前記要求にもかかわらず、ロータディスクの間の継手は、ロータが静止位置にあるときのディスクの容易かつ労力の少ない取外し及び交換を許容する。言い換えれば、メンテナンス又は修理の間にあらゆるロータディスクが容易に移動可能である。
【先行技術文献】
【特許文献】
【０００８】
【特許文献１】米国特許第３９７６３９９号明細書
【特許文献２】米国特許第７３８４０７５号明細書
【特許文献３】米国特許第５５３７８１４号明細書
【特許文献４】米国特許第８１００６６６号明細書
【特許文献５】米国特許第４３１０２８６号明細書
【発明の概要】
【発明が解決しようとする課題】
【０００９】
本発明は、前記必要性を提供すること及び前記困難を克服することに向けられている。
【課題を解決するための手段】
【００１０】
本開示は、ロータのディスクの間の改良された機械的結合に関する。ねじり剛性でかつ漏れ防止された結合を達成するために、相補的に結合されたロータディスクのそれぞれの側における断続的なねじが提案される。断続的なねじは、その表面が長手方向で複数のブランク若しくは切取りセクションに分割されているねじである。２つのロータディスクは、一回転の一部によって互いにロックされる。
【００１１】
２つのロータディスクを結合した後、第１のロータディスクの断続的なねじの表面と、第２のロータディスクの、相補的に形成されたナットの表面とが、整合する。２つの表面の整合は、ねじり剛性である結合を生じ、１５００〜１５０００ｒｐｍをはるかに超えるロータの臨界速度を許容する。
【００１２】
相補的に結合されたロータディスクのそれぞれの側における断続的なねじは、同じ金属から形成することができる。それにより、異なる金属の使用による腐食の問題が排除される。
【００１３】
ロータディスクは、異なる金属、特に異なる鋼合金から形成することもできる。ガスタービン機関は、圧縮機のロータディスクと、燃焼器のロータディスクとに対して異なる合金が使用されることを要求する場合がある。本開示は、異なる金属又は合金から形成されたロータディスクが結合されることを許容する。
【００１４】
ロータを組み立てるために、２つ以上のロータディスクが係合させられ、一方のロータディスクが、他方のロータディスクに対して一回転の一部だけ回転させられる。この回転は、２つのロータディスクに共通の回転軸線を中心にして行われる。この軸線は、のちにロータの回転軸線となる。２つのディスクが結合されるやいなや、さらに別のロータディスクが、前に結合されたロータディスクのスタックに、前記ディスクとロータディスクのスタックとを係合させることによって結合される。このプロセスは、ロータの組立てが完了するまで継続する。
【００１５】
同様に、ロータの修理又はメンテナンスの間に、ディスクを一回転の一部だけ回転させることによってディスクはロータディスクのスタックから取り外される。この場合の回転方向は、２つのディスクが結合されたときの方向とは反対方向である。次いで、ディスクは、残りのスタックロータディスクから取り外すことができる。このプロセスは、ロータディスクのスタックが完全に分解されるまで継続してよい。
【００１６】
本発明の、前記課題、及び付随する利点の多くは、さらに容易に認められるであろう。なぜならば、それらは、添付の図面に関連して見た場合に以下の詳細な説明を参照することによってさらに理解されるからである。
【図面の簡単な説明】
【００１７】
【図１】本出願によるロータディスクの断面図である。
【図２】前記ロータディスクの一方の側の三次元図である。
【図３】前記ロータディスクの他方の側の正面図である。
【図４】結合される前の２つのロータディスクの三次元図である。
【図５】ロータディスクのスタックの三次元図である。
【図６】本発明の別の実施の形態によるロータディスクの三次元図である。
【図７】他方の側からの図６のロータディスクの三次元図である。
【図８】図６及び図７による結合されたロータディスクの三次元図である。
【発明を実施するための形態】
【００１８】
図１は、本出願によるロータディスク１の断面図を示す。ロータディスク１は、リム３の外周に沿って配置された複数の突出部を有する。それぞれの側４，５において、ロータディスク１は、断続的なねじを提供している。ロータディスクのそれぞれの側部４，５における２つの断続的なねじは、相補的に形成されているので、ロータディスク１の一方の側４における断続的なねじは、別のロータディスクの反対の側５における断続的なねじと協働する。図１は、ロータディスクの一方の側５における断続的なねじが、複数のスロット６ａ，６ｂ，６ｃ，６ｄを有することを示している。スロット６ａ，６ｂ，６ｃ，６ｄは、好適にはロータディスク１の内周に沿って均等に配置されているので、隣接するスロットのそれぞれの対の間の距離は同じである。スロット６ａ，６ｂ，６ｃ，６ｄは、スロット６ａ，６ｂ，６ｃ，６ｄとリム３との間に配置された締付面７を提供している。スロット６ａ，６ｂ，６ｃ，６ｄは、支持部分８をも有する。支持部分８は、２つのロータディスクが結合されている及び／又は使用されているときにスロット６ａ，６ｂ，６ｃ，６ｄに加えられる機械的な力を支持する。好適な実施の形態において、各スロット６ａ，６ｂ，６ｃ，６ｄの支持部分８は、リム３と同じ材料から形成されている。
【００１９】
ロータディスク１の他方の側４において、セグメント９ａ，９ｂ，９ｃが配置されている。ロータディスク１の一方の側４における各セグメントは、ディスク１の他方の側５におけるスロットと相補的である。好適な実施の形態では、セグメント９ａ，９ｂ，９ｃは、ロータディスク１の他方の側５におけるスロット６ａ，６ｂ，６ｃ，６ｄと同様に均等に配置されている。
【００２０】
セグメント９ａ，９ｂ，９ｃ及びスロット６ａ，６ｂ，６ｃ，６ｄは、プラグ及びソケットのように作用するように配置されている。好適な実施の形態では、セグメント９ａ，９ｂ，９ｃは、各スロット６ａ，６ｂ，６ｃ，６ｄによって提供された締付面７へ滑り込むことができる。この実施の形態では、スロット６ａ，６ｂ，６ｃ，６ｄの締付面７は、それらの端部のうちの一方に向かって狭まっている。セグメント９ａ，９ｂ，９ｃは、同様に狭まっている。これにより、セグメント９ａ，９ｂ，９ｃの表面と締付面７の表面とが係合するまで、セグメント９ａ，９ｂ，９ｃは締付面７へ滑り込むことができる。セグメント９ａ，９ｂ，９ｃが最終的にスロット６ａ，６ｂ，６ｃ，６ｄ内に食い込まされると、２つの隣接するディスクの間に堅い結合が形成される。
【００２１】
別の実施の形態では、セグメント９ａ，９ｂ，９ｃがスロット６ａ，６ｂ，６ｃ，６ｄ内に滑り込むことができる前に、スロット６ａ，６ｂ，６ｃ，６ｄを備えたディスク１は加熱される。スロット６ａ，６ｂ，６ｃ，６ｄを備えたディスク１を加熱することにより、材料が膨張するので、各締付面７の内径が増大する。セグメント９ａ，９ｂ，９ｃは、次いで、スロット６ａ，６ｂ，６ｃ，６ｄ内に滑り込む。セグメント９ａ，９ｂ，９ｃを導入した後、スロット６ａ，６ｂ，６ｃ，６ｄの温度は低下し、ねじり剛性を有するロータを提供する堅い結合が形成される。次いで、セグメント９ａ，９ｂ，９ｃは、スロット６ａ，６ｂ，６ｃ，６ｄの締付面７に内向きの力をも加える。内向きの力は、ロータディスク１がロータの一部として回転するときに遠心力に反作用する。言い換えれば、熱処理は、ねじり剛性を生じるのみならず、ロータが使用されるときに遠心力の補償も生じる。
【００２２】
図１に示したようにスロット６ａ，６ｂ，６ｃ，６ｄの締付面７がディスク１の回転軸線から外方を向いていることが言及されるべきである。別の実施の形態では、スロット６ａ，６ｂ，６ｃ，６ｄの締付面７は、内方を向いていてもよい。この実施の形態は、その表面が外方を向いているセグメント９ａ，９ｂ，９ｃを必要とする。
【００２３】
図２は、本出願によるロータディスク１の三次元図を提供する。この三次元図は、一方の側４から見た図１のロータディスク１を示している。図２は、等間隔に配置された合計で６つのセグメント９ａ，９ｂ，９ｃ，９ｄ，９ｅ，９ｆを示している。この特定の実施の形態では、ロータディスク１の回転軸線から測定された２つの隣接するセグメントの間の角度は、６０°である。また、図２に示されたセグメント９ａ，９ｂ，９ｃ，９ｄ，９ｅ，９ｆは、曲がった円筒の形状を有する。別の実施の形態では、セグメント９ａ，９ｂ，９ｃ，９ｄ，９ｅ，９ｆの断面は、三角形又は矩形であってよい。
【００２４】
図３は、図１のロータディスク１の正面図を示す。図３は、他方の側５から見た図１のロータディスク１を示す。図３は、ロータディスク１の内周に沿って均等に分布させられた合計で６つのスロット６ａ，６ｂ，６ｃ，６ｄ，６ｅ，６ｆを示す。スロット６ａ，６ｂ，６ｃ，６ｄ，６ｅ，６ｆは、隣接するロータディスクの他方の側４における、相補的に形成されたセグメント９ａ，９ｂ，９ｃ，９ｄ，９ｅ，９ｆと合致するように配置されている。
【００２５】
図４は、結合される前の一対のロータディスク１ａ，１ｂを示す。２つのロータディスク１ａ，１ｂは、図１〜図３に示されたディスクに対応する。第１のロータディスク１ａは、第２のロータディスク１ｂのセグメント９ａ，９ｂ，９ｃの配置に合致するスロット６ａ，６ｂ，６ｃの配置を提供している。２つのロータディスク１ａ，１ｂを結合するために、ディスク１ａ，１ｂの相補的な面は係合させられ、一方のディスクは、他方のディスクに対して一回転の一部だけ回転させられる。図４に示された特定の実施の形態では、合計で６つのセグメント９ａ，９ｂ，９ｃ，９ｄ，９ｅ，９ｆ及び６つのスロット６ａ，６ｂ，６ｃ，６ｄ，６ｅ，６ｆが設けられているので、一方のディスクは他方のディスクに対して６０°だけ回転させられる。
【００２６】
スロット６ａ，６ｂ，６ｃ，６ｄ，６ｅ，６ｆの締付面７と、セグメント９ａ，９ｂ，９ｃ，９ｄ，９ｅ，９ｆの表面とは、ディスク１ａ，１ｂが結合されたときに締め付けられる。したがって、好適な実施の形態では、ディスク１ａ，１ｂの間の締め付けられた継手は、基本的に漏れが防止される。
【００２７】
２つのロータディスク１ａ，１ｂを解離させるために、上述のプロセスは逆の順序で行われる。熱処理を用いることもできる。スロット６ａ，６ｂ，６ｃ，６ｄ，６ｅ，６ｆを備えたディスク１ａは、他方のディスク１ｂよりも速い速度で加熱されなければならない。熱処理がスロット６ａ，６ｂ，６ｃ，６ｄ，６ｅ，６ｆの表面とセグメント９ａ，９ｂ，９ｃ，９ｄ，９ｅ，９ｆの表面との間に隙間を生じるやいなや２つのディスク１ａ，１ｂは解離される。ディスク１ａを他方のディスク１ｂよりも速く加熱するために、誘導加熱が用いられてよい。ロータディスク１ａ，１ｂの解離は上記プロセスを逆の順序で行うことだけを必要とするので、ロータの容易な取外しを提供する。
【００２８】
図４は、接合される前の一対のロータディスクを示しているが、図５は、上述のように結合された５つのロータディスク１ａ，１ｂ，１ｃ，１ｄ，１ｅのスタックを示している。図５によれば、それぞれの側における、相補的な、断続的なねじによって複数のロータディスクを結合することができる。結合されたロータディスクの結果として生じたスタックは、その臨界速度が１５００〜１５０００ｒｐｍをはるかに超える、ねじり剛性のロータを形成する。
【００２９】
図５は、ロータディスクのスタックがロータディスクの共通の中心軸線に沿って開口を提供していることも示している。全てのロータディスクに共通の開口は、シャフトなどの他のエレメントが開口内に配置されることを可能にする。これにより、圧縮機用と、ガスタービン機関のタービンセクション用の別個のシャフトを配置するための、ロータディスクのスタック内の十分なスペースが存在する。
【００３０】
図５に示されたロータディスク１ａ，１ｂ，１ｃ，１ｄ，１ｅは全て同じ直径を有する。別の実施の形態では、本出願によるロータディスクは、ロータディスクの直径が異なる場合に結合される。
【００３１】
図６は、本出願の別の実施の形態によるロータディスク１を示す。図６のロータディスク１は、突出したリム１０を有する。リム１０は、側壁に配置された複数のウェッジ１１ａ，１１ｂ，１１ｃ，１１ｄ，１１ｅ，１１ｆ，１１ｇ，１１ｈを提供している。好適な実施の形態では、ウェッジ１１ａ，１１ｂ，１１ｃ，１１ｄ，１１ｅ，１１ｆ，１１ｇ，１１ｈは、外側リム１０の側壁の周囲に沿って均等に配置されている。この図６は、合計で８つのウェッジを示している。リム１０と、ウェッジ１１ａ，１１ｂ，１１ｃ，１１ｄ，１１ｅ，１１ｆ，１１ｇ，１１ｈとは、図３のスロット６ａ，６ｂ，６ｃ，６ｄ，６ｅ，６ｆのように、断続的なねじを形成している。
【００３２】
図７は、図６に示された断続的なねじと相補的な断続的なねじを備えたロータディスク１を示す。ロータディスク１は、側壁に沿って複数のウェッジ１３ａ，１３ｂ，１３ｃ，１３ｄ，１３ｅ，１３ｆ，１３ｇ，１３ｈを備えた溝１２を提供している。これらのウェッジは、図２に示されたセグメント９ａ，９ｂ，９ｃ，９ｄ，９ｅ，９ｆに置き換わっている。好適な実施の形態では、突出したリム１０のウェッジ１１ａ，１１ｂ，１１ｃ，１１ｄ，１１ｅ，１１ｆ，１１ｇ，１１ｈと、溝１２のウェッジ１３ａ，１３ｂ，１３ｃ，１３ｄ，１３ｅ，１３ｆ，１３ｇ，１３ｈとは、同じ材料から形成されている。異なる材料も可能である。
【００３３】
図６及び図７に示されたロータディスクを結合するために、図６の突出したリム１０は、図７に示された溝１２に導入される。次いで、リム１０における外面と溝１２の側壁とが締め付けられるまで、ディスクのうちの一方が他方のディスクに対して一回転の一部分だけ回転させられる。次いで、２つのロータディスクは堅く結合される。図８は、接合された後の２つのこのようなロータディスクを示す。２つのロータディスクを解離させるために、このプロセスは逆の順序で行われる。
【００３４】
図８は、個々のロータディスク１又はロータディスクのスタックを貫通した複数の冷却ダクト１４も示す。ロータディスクの間の締め付けられた結合は、ディスクの間の溶接された結合を回避する。もはやロータディスクを溶接する必要がないので、溶接の間に誤って冷却ダクト１４を塞いでしまうリスクが一切排除され、冷却チャネルの設計上のより大きな自由度が達成される。
【００３５】
ロータディスクを結合するプロセスは、ロータディスクのスタックが形成されるまで継続されてよい。図５はこのようなスタックを示す。また、上で説明したような熱処理は、ロータディスク間の結合の剛性を高め、遠心力対抗手段として作用する残留焼ばめ応力による材料の最大限の利用が提供される。
【００３６】
この開示は、ガスタービン機関に関する断続的なねじを備えたロータディスクから形成されたロータを説明している。別の実施の形態では、同じロータ及び同じロータディスクは、タービン発電機のロータの一部を形成する。水車発電機などのその他の用途も想定されている。
【００３７】
本発明は、好適な実施の形態に関して完全に説明されたが、本発明の範囲に変更が加えられてよく、本出願をこれらの実施の形態によって限定されるものと考えず、しかし以下の請求項の内容による。
【符号の説明】
【００３８】
１  ロータディスク
１ａ，１ｂ，１ｃ，１ｄ，１ｅ，１ｆ  個々のロータディスク
２  突出部
３  リム
４  ロータディスクの側
５  ロータディスクの側
６  スロット
６ａ，６ｂ，６ｃ，６ｄ，６ｅ，６ｆ  個々のスロット
７  締付面
８  支持部分
９  セグメント
９ａ，９ｂ，９ｃ，９ｄ，９ｅ，９ｆ  個々のセグメント
１０  突出したリム
１１ａ，１１ｂ，１１ｃ，１１ｄ，１１ｅ，１１ｆ，１１ｇ，１１ｈ  ウェッジ
１２  溝
１３ａ，１３ｂ，１３ｃ，１３ｄ，１３ｅ，１３ｆ，１３ｇ，１３ｈ  ウェッジ
１４  冷却ダクト
【図１】
2014202213.tif 000003
【図２】
2014202213.tif 000004
【図３】
2014202213.tif 000005
【図４】
2014202213.tif 000006
【図５】
2014202213.tif 000007
【図６】
2014202213.tif 000008
【図７】
2014202213.tif 000009
【図８】
2014202213.tif 000010
【外国語明細書】
2014202213.tif 000011
2014202213.tif 000012
2014202213.tif 000013
2014202213.tif 000014
2014202213.tif 000015
2014202213.tif 000016
2014202213.tif 000017
2014202213.tif 000018
2014202213.tif 000019
2014202213.tif 000020
2014202213.tif 000021
2014202213.tif 000022
2014202213.tif 000023
2014202213.tif 000024
2014202213.tif 000025
2014202213.tif 000026
2014202213.tif 000027
2014202213.tif 000028
2014202213.tif 000029
2014202213.tif 000030
2014202213.tif 000031